(57)【特許請求の範囲】
【請求項１】
用紙の対向する一方の紙面と他方の紙面とを貼り合わせて情報欄に印刷された情報を隠蔽する情報隠蔽帳票であって、
前記一方の紙面の周縁部に設けられ接着剤が塗布された接着層と、
前記他方の紙面の前記接着層に対応する部分に設けられ開封検知情報が剥離性インキで印刷された残存層である開封検知情報記録部と、
前記開封検知情報記録部の上に印刷されたインキ層からなる転移層と、
を具備し、
前記一方の紙面に前記他方の紙面を貼り合わせた後に剥離して開封すると、前記一方の紙面の前記接着層上に前記転移層が転移して前記接着層の接着力が封じられるとともに、前記他方の紙面の前記開封検知情報記録部に記録された開封検知情報が目視可能に現れるようになっていることを特徴とする情報隠蔽帳票。
【請求項２】
用紙の対向する一方の紙面と他方の紙面とを貼り合わせて情報欄に印刷された情報を隠蔽する情報隠蔽帳票であって、
前記一方の紙面の周縁部に設けられ接着剤が塗布された接着層と、
前記他方の紙面の前記接着層に対応する部分に設けられ開封検知情報が印刷された残存層である開封検知情報記録部と、
前記開封検知情報記録部の上に設けられ透明な剥離剤からなる剥離層と、
前記剥離層の上に印刷されたインキ層からなる転移層と、
を具備し、
前記一方の紙面に前記他方の紙面を貼り合わせた後に剥離して開封すると、前記一方の紙面の前記接着層上に前記転移層が転移して前記接着層の接着力が封じられるとともに、前記他方の紙面の前記開封検知情報記録部に記録された開封検知情報が前記剥離層を介して目視可能に現れるようになっていることを特徴とする情報隠蔽帳票。
【請求項３】
前記情報欄の対向する前記一方の紙面に再剥離粘着剤を塗布した粘着層が設けられていることを特徴とする請求項１または２に記載の情報隠蔽帳票。
【発明の詳細な説明】
【技術分野】
【０００１】
本発明は、用紙に印刷した情報を隠蔽することができ、かつ開封した事実を確認することができる開封確認機能を備えた情報隠蔽帳票に関する。
【背景技術】
【０００２】
従来、開封確認機能を備えた情報隠蔽帳票として、例えば特許文献１に開示された隠蔽葉書が知られている。この隠蔽葉書は、本体用紙に連接された基材用紙が折り畳み可能になっており、基材用紙の大部分に剥離可能な粘着剤が塗布されるとともに基材用紙の縁部に沿って強粘着剤が塗布され、強粘着剤の両側に基材用紙を貫通しない深さのハーフカットが形成されている。そして基材用紙を折り畳んで貼り合わせると、本体用紙の情報が隠蔽され、これを剥がすと強粘着剤で接着された部分の基材用紙がハーフカットで分断されて剥離し、開封した痕跡が残るようになっている。
【０００３】
【特許文献１】特開２００５−３０５９５６号公報（図２を参照）
【発明の開示】
【発明が解決しようとする課題】
【０００４】
上記のように従来の情報隠蔽帳票は、貼付後に剥離すると紙面に開封した痕跡が残るので開封した事実を確認することができるが、紙面にはハーフカットによって分断された紙間剥離が起こるので、開封後の紙面に段差が生じてしまう。このため、開封後の用紙の外観見栄えが悪く、しかもＯＣＲ装置による機械読み取りの際に支障を来たすという問題があった。また、用紙に剥離可能な粘着剤と強粘着剤とを分けて塗布したり、両者の境界部分に用紙を貫通しない深さのハーフカットを形成したりしなければならず、構造が複雑であり、製造コストが高くなるという問題もある。さらには、開封後に糊を塗って再封緘することが可能であり、その場合開封されたことが分からないという問題があった。
【０００５】
本発明はこのような問題を解決するためになされたものであり、その目的とするところは、開封確認機能を備えた情報隠蔽帳票において、特に開封後のデザイン性が良好で機械読み取りに支障を来たすことがなく、しかも簡単な構成により低コストで製造することが可能な情報隠蔽帳票を提供することにある。
【課題を解決するための手段】
【０００６】
上記の目的を達成するために、本発明は、用紙の対向する一方の紙面と他方の紙面とを貼り合わせて情報欄に印刷された情報を隠蔽する情報隠蔽帳票であって、前記一方の紙面の周縁部に設けられ接着剤が塗布された接着層と、前記他方の紙面の前記接着層に対応する部分に設けられ開封検知情報が剥離性インキで印刷された残存層である開封検知情報記録部と、前記開封検知情報記録部の上に印刷されたインキ層からなる転移層と、を具備し、前記一方の紙面に前記他方の紙面を貼り合わせた後に剥離して開封すると、前記一方の紙面の前記接着層上に前記転移層が転移して前記接着層の接着力が封じられるとともに、前記他方の紙面の前記開封検知情報記録部に記録された開封検知情報が目視可能に現れるようになっていることを特徴とする。
【０００７】
ここで、残存層のインキは剥離性を有するインキが好適であり、例えば紫外線硬化型ニスや油性ニスなどの剥離剤と酸化重合型インキや紫外線硬化型インキなどの一般的なインキを混合したインキ等が挙げられる。また、転移層のインキは一般的なインキが好適であり、例えば酸化重合型インキや紫外線硬化型インキ等が挙げられる。
【０００８】
また、上記の目的を達成するために、本発明は、用紙の対向する一方の紙面と他方の紙面とを貼り合わせて情報欄に印刷された情報を隠蔽する情報隠蔽帳票であって、前記一方の紙面の周縁部に設けられ接着剤が塗布された接着層と、前記他方の紙面の前記接着層に対応する部分に設けられ開封検知情報が印刷された残存層である開封検知情報記録部と、前記開封検知情報記録部の上に設けられ透明な剥離剤からなる剥離層と、前記剥離層の上に印刷されたインキ層からなる転移層と、を具備し、前記一方の紙面に前記他方の紙面を貼り合わせた後に剥離して開封すると、前記一方の紙面の前記接着層上に前記転移層が転移して前記接着層の接着力が封じられるとともに、前記他方の紙面の前記開封検知情報記録部に記録された開封検知情報が前記剥離層を介して目視可能に現れるようになっていることを特徴とする。
【０００９】
上記のような構成を採用したことにより、貼付後に開封すると一方の紙面の接着層上に転移層が転移して接着層の接着力が封じられるため、開封後に再度貼り付けることができず、再貼付による不正を防止することができる。また、開封すると他方の紙面に残された残存層が現れるので、開封された事実を確認することができる。なお、情報欄の対向面に再剥離粘着剤を塗布した粘着層が設けられていると、紙面を貼り合わせた時に情報欄に印刷された情報を確実に隠蔽することができる。
【発明の効果】
【００１０】
以上の構成から明らかなように、本発明の情報隠蔽帳票によれば、用紙に印刷した情報を隠蔽する機能と開封した事実を確認する機能とを備えているうえに、開封後の用紙はインキ同士の層間剥離によって剥がされるので、従来の情報隠蔽用シートのような紙間剥離が起こらない。したがって、紙面に段差が生じることなく綺麗に剥がされるため、開封後のデザイン性に優れ、しかもＯＣＲ装置による確実な機械読み取りを行うことが可能になる。また、用紙の上にインキを重ねて塗布するという簡単な構造であるため、低コストで製造することができる。
【発明を実施するための最良の形態】
【００１１】
以下、本発明の実施形態について、図面を参照しながら説明する。
【００１２】
［第１実施形態］
図１は第１実施形態の情報隠蔽帳票の全体構成を示す外観図、図２は同帳票の断面図、図３は同帳票の使用方法を示す説明図である。
【００１３】
図１に示すように、本実施形態の情報隠蔽帳票１０（１０−１）は、１枚の用紙１１を半分に折り畳み、対向する紙面を貼り合わせることで情報を隠蔽するようにしたものである。用紙１１の中央部には折り畳み易くするためにプレス加工したミシン目１２が形成されており、このミシン目１２を中心にして左右両側の２つの紙面１３，１４に区画されている。また、この情報隠蔽帳票１０−１には以下に説明する開封検知部１５が設けられており、貼り合わされた紙面１３，１４を開封した事実を検知する機能を備えている。
【００１４】
左側の紙面（以下「左紙面」という）１３には、中央部に再剥離粘着剤を塗布した粘着層１６が設けられており、この粘着層１６の周囲を取り囲むように周縁部三辺に沿って接着剤を塗布した接着層１７が設けられている。粘着層１６を構成する再剥離粘着剤は用紙１１に貼付後再剥離可能な粘着力を有するもので、例えば再剥離再接着糊を使用することができる。また、接着層１７を構成する接着剤は用紙１１に貼付後剥離不可能な接着力を有するもので、例えば強接着糊を使用することができる。なお、粘着層１６と接着層１７を保護するために左紙面１３には使用時まで剥離紙１８が貼付されており、剥離時に摘み易くするために用紙１１の角を切り落としたコーナーカット１９が形成されている。
【００１５】
右側の紙面（以下「右紙面」という）１４には、粘着層１６に対応する部分に情報欄２０が設けられており、この情報欄２０の周囲を取り囲むように接着層１７に対応する部分に残存層２１と転移層２２が積層されている。残存層２１は用紙１１の上に剥離性インキで文字、図形、記号、あるいはこれらの組み合わせなどを印刷して開封事実を判別する機能を備えたものであり、本実施形態では複数個の「開封済」の文字が連続して印刷されている。また、図２に示すように、転移層２２は残存層２１の上から「開封済」の文字を覆い隠すように一般インキを重ねて印刷したものである。残存層２１を構成する剥離性インキとしては、例えば紫外線硬化型ニスや油性ニスなどの剥離剤と酸化重合型インキや紫外線硬化型インキなどの一般的なインキを混合したインキを使用することができる。また、転移層２２を構成する一般インキとしては、例えば酸化重合型インキや紫外線硬化型インキなどを使用することができる。
【００１６】
本実施形態の情報隠蔽帳票１０−１は以上のように構成されており、以下その使用方法について説明する。図３（ａ）に示すように、この情報隠蔽帳票１０−１を使用する際には、まず右紙面１４に設けられた情報欄２０に隠蔽したい情報を印刷する。次に、左紙面１３に貼付されている剥離紙１８を剥がし取り、図３（ｂ）に示すように折り畳み用のミシン目１２で谷折りする。これにより、左紙面１３と右紙面１４は、中央部が粘着層１６で、周縁部が接着層１７で貼り合わされて封緘されるので、情報欄２０に印刷された情報を隠蔽することができる。
【００１７】
また、このようにして情報が隠蔽された情報隠蔽帳票１０−１において、左紙面１３のコーナーカット１９を摘んで剥がすと、図３（ｃ）に示すように貼り合わされていた左紙面１３と右紙面１４が剥がれて開封され、情報欄２０に印刷された情報を確認することができる。ここで、残存層２１の上に重ねて印刷された転移層２２は、残存層２１のインキ上に印刷は可能であるが、用紙１１及び残存層２１のインキと馴染み難い性質により残存層２１から簡単に剥がれるようになっており、残存層２１から剥がれた転移層２２が左紙面１３の接着層１７に付着したまま転移する。これにより、右紙面１４には、転移層２２が剥離された後に残された残存層２１の「開封済」の文字が目視可能に現れるので、開封された事実を目で見て確認することができる。また、開封後の用紙１１はインキどうしの層間剥離によって剥がされ、情報欄２０のある右紙面１４に段差が生じることなく綺麗に剥がされるため、ＯＣＲ装置による機械読み取りに支障を来たすことがない。
【００１８】
また、開封すると左紙面１３の接着層１７の上に転移層２２が転移し、接着層１７の接着力が封じられるため、開封後に再度貼り付けることができなくなる。このため、一度開封すると再利用することができないので、情報欄２０に印刷された情報を盗み見たり改ざんしたりした後で再封緘するといった不正を防止することができる。しかも、開封後に元に戻そうとして接着剤を塗布して再度貼り合わせた場合には、図３（ｄ）に示すように接着剤によって左紙面１３と右紙面１４が強固に接着されるので、開封すると紙破壊が起こり、残存層２１の「開封済」の文字が再現されない。したがって、開封した時に綺麗に剥がれず紙破壊が起こる場合には、一度開封して再封緘されたことが即座に分かるという効果もある。
【００１９】
なお、本実施形態では、残存層２１を「開封済」という文字で印刷し、その上に転移層２２をベタ印刷することにより、開封時に接着層１７の対向面にのみ「開封済」の文字による開封検知情報が目視可能に現れるようにしたが、これ以外にも例えば次のような構成とすることもできる。
【００２０】
ａ．残存層２１を抜き文字印刷し、その上に転移層２２をベタ印刷することにより、開封時に接着層１７の対向面に開封検知情報が現れるようにする。
ｂ．残存層２１をベタ印刷し、その上に転移層２２を抜き文字印刷することにより、開封時に接着層１７の上に開封検知情報が現れるようにする。この場合、残存層２１と転移層２２を同色にする。
ｃ．残存層２１を抜き文字印刷し、その上に転移層２２をベタ印刷することにより、開封時に接着層１７の対向面と接着層１７の上の両方に開封検知情報が現れるようにする。残存層２１と転移層２２の色が異なる場合は、転移層２２を濃色にして残存層２１を隠蔽すると良い。
【００２１】
［第２実施形態］
図４は第２実施形態の情報隠蔽帳票の全体構成を示す外観図、図５は同帳票の断面図、図６は同帳票の使用方法を示す説明図である。
【００２２】
図４に示すように、本実施形態の情報隠蔽帳票１０（１０−２）は、用紙１１の対向する紙面を貼り合わせることで情報を隠蔽し、貼り合わされた紙面が開封された事実を検知する機能を備えている点では第１実施形態のものと同じであるが、開封検知部１５の構造が異なっている。
【００２３】
左紙面１３には中央部に再剥離粘着剤を塗布した粘着層１６が設けられており、この粘着層１６の周囲を取り囲むように周縁三辺に沿って接着剤を塗布した接着層１７が設けられている。粘着剤と接着剤は第１実施形態と同様のものを使用することができる。
【００２４】
右紙面１４には粘着層１６に対応する部分に情報欄２０が設けられており、この情報欄２０の周囲を取り囲むように、本実施形態では接着層１７に対応する部分に残存層２３と剥離層２４と転移層２５が積層されている。残存層２３は用紙１１の上に印刷インキで複数個の「開封済」の文字を連続して印刷したものであり、剥離層２４は残存層２３の上から「開封済」の文字を覆い隠すように剥離剤を重ねて印刷したものである。残存層２３を構成する印刷インキは酸化重合型インキや紫外線硬化型インキなどの一般的なインキを使用することができ、剥離層２４を構成する剥離剤は紫外線硬化型ニスや油性ニスなどの無色透明の剥離ＯＰニスを使用することができる。また、図５に示すように、転移層２５は剥離層２４の上に印刷インキを重ねて印刷したものであり、残存層２３と同様に一般的なインキを使用することができる。
【００２５】
本実施形態の情報隠蔽帳票１０−２は以上のように構成されており、以下その使用方法について説明する。図６（ａ）に示すように、この情報隠蔽帳票１０−２を使用する際には、まず右紙面１４に設けられた情報欄２０に隠蔽したい情報を印刷する。次に、左紙面１３に貼付されている剥離紙１８を剥がし取り、図６（ｂ）に示すように折り畳み用のミシン目１２で谷折りする。これにより、左紙面１３と右紙面１４は、中央部が粘着層１６で、周縁部が接着層１７で貼り合わされて封緘されるので、情報欄２０に印刷された情報を隠蔽することができる。
【００２６】
また、このようにして情報が隠蔽された情報隠蔽帳票１０−２において、左紙面１３のコーナーカット１９を摘んで剥がすと、図６（ｃ）に示すように貼り合わされていた左紙面１３と右紙面１４が剥がれて開封され、情報欄２０に印刷された情報を確認することができる。ここで、転移層２５と剥離層２４との境界面の接着力は転移層２５と接着層１７との境界面の接着力よりも弱いため、剥離層２４の上に重ねて印刷された転移層２５が剥離層２４から簡単に剥がれるようになっており、剥離層２４から剥がれた転移層２５は左紙面１３の接着層１７に付着したまま転移する。これにより、右紙面１４には、転移層２５が剥離された後に残された残存層２３の「開封済」の文字が無色透明な剥離層２４を介して目視可能に現れるので、開封された事実を目で見て確認することができる。なお、本実施形態によれば、剥離層２４を介して転移層２５を設けたことにより、転移層２５の接着層１７への転移がより確実になるという利点がある。
【００２７】
また、開封すると左紙面１３の接着層１７の上に転移層２５が転移し、接着層１７の接着力が封じられるため、開封後に再度貼り付けることができなくなる。このため、一度開封すると再利用することができないので、情報欄２０に印刷された情報を盗み見たり改ざんしたりした後で再封緘するといった不正を防止することができる。しかも、開封後に元に戻そうとして接着剤を塗布して再度貼り合わせた場合には、図６（ｄ）に示すように接着剤によって左紙面１３と右紙面１４が強固に接着されるので、開封すると紙破壊が起こり、残存層２３の「開封済」の文字が再現されない。したがって、開封した時に綺麗に剥がれず紙破壊が起こる場合には、一度開封して再封緘されたことが即座に分かるという効果もある。
【００２８】
なお、本実施形態では、残存層２３を「開封済」という文字で印刷し、その上に剥離層２４を介して転移層２５をベタ印刷することにより、開封時に接着層１７の対向面にのみ「開封済」の文字による開封検知情報が剥離層２４を通して目視可能に現れるようにしたが、これ以外にも例えば次のような構成とすることもできる。
【００２９】
ａ．残存層２３を文字や抜き文字で印刷し、その上に剥離層２４を介して転移層２５をベタ印刷することにより、開封時に接着層１７の対向面に残存層２３の開封検知情報が剥離層２４を通して目視可能に現れるようにする。
ｂ．残存層２３をベタ印刷し、その上に剥離層２４を介して転移層２５を文字や抜き文字で印刷することにより、開封時に接着層１７の上に開封検知情報が現れるようにする。
ｃ．残存層２３を文字や抜き文字で印刷し、その上に剥離層２４を介して転移層２５をベタ印刷や抜き文字印刷をすることにより、開封時に接着層１７の対向面に残存層２３の開封検知情報が剥離層２４を通して目視可能に現れ、接着層１７の上にも開封検知情報が目視可能に現れるようにする。本実施形態の場合、残存層２３と転移層２５が剥離層２４を介して分かれているので、様々な組み合わせが可能である。例えば、転移層２５を△印で印刷し、残存層２３を▽印で印刷することで☆印とすることができる。
ｄ．その他の構成として、剥離層２４の一部を文字や抜き文字状に除いて印刷する構成などが考えられる。
【００３０】
以上説明した実施形態においては、残存層２１（残存層２３）として「開封済」の文字を印刷したが、開封した事実を判別することができるものであれば、それ以外の文字、図形、記号、あるいはこれらの組み合わせを印刷しても構わない。また、残存層２１（残存層２３）と転移層２２（転移層２５）が異なる色のインキで構成されていると、貼付前と開封後とで右紙面１４の見た目が明らかに異なって見えるため、開封済みかどうかを確認し易くなる。さらに、情報欄２０の対向面の粘着層１６は設けられていなくても良く、この場合には左紙面１３の中央部にも印刷が可能になり、掲載する情報量を増やすことができるという利点がある。
【図面の簡単な説明】
【００３１】
【図１】第１実施形態の情報隠蔽帳票の全体構成を示す外観図。
【図２】図１に示す情報隠蔽帳票の（ａ）Ａ−Ａ線断面図、（ｂ）Ｂ−Ｂ線断面図。
【図３】図１に示す情報隠蔽帳票の使用方法を示す説明図。
【図４】第２実施形態の情報隠蔽帳票の全体構成を示す外観図。
【図５】図４に示す情報隠蔽帳票の（ａ）Ｃ−Ｃ線断面図、（ｂ）Ｄ−Ｄ線断面図。
【図６】図４に示す情報隠蔽帳票の使用方法を示す説明図。
【符号の説明】
【００３２】
１０（１０−１，１０−２）…情報隠蔽帳票
１１…用紙
１２…ミシン目
１３…左紙面
１４…右紙面
１５…開封検知部
１６…粘着層
１７…接着層
１８…剥離紙
１９…コーナーカット
２０…情報欄
２１…残存層
２２…転移層
２３…残存層
２４…剥離層
２５…転移層
【図１】
0005170667.tif 000002
【図２】
0005170667.tif 000003
【図３】
0005170667.tif 000004
【図４】
0005170667.tif 000005
【図５】
0005170667.tif 000006
【図６】
0005170667.tif 000007